(57)【要約】【課題】装飾性を有して美感を損なうことはなく、指輪本体に下げ飾り等を着脱可能とする機構を設けた指輪を提供する。【解決手段】リング部と、コイルバネの付勢にて開閉可能な第二装飾部を有する第一装飾部とからなり、該第一装飾部は、中抜き部及び一部上面に低み部を有して該低み部に切り欠き部を設け、該低み部上面にコイルバネを受ける凹部と該凹部内に前記コイルバネの一端を挿入する挿入孔及び前記第二装飾部の枢軸ピンを貫通させる貫通孔とを設けて形成、前記第二装飾部は、前記低み部と接触する背面にコイルバネを配する収納部を設け、該収納部内にコイルバネを挿通して保持する当該背面に対して直立した枢軸ピンと、コイルバネの他端を挿入して保持する孔を有した前記切り欠き部に嵌り込む当該背面に対して直立した閉塞部と、第二装飾部がコイルバネの付勢による回転を阻止する当該背面に対して直立するストッパーと、からなるものである。【選択図】図１
0003115682.tif 000002
【実用新案登録請求の範囲】
【請求項１】
リング部と、コイルバネの付勢にて開閉可能な第二装飾部を有する第一装飾部とからなり、該第一装飾部は、中抜き部及び一部上面に低み部を有して該低み部に切り欠き部を設けるとともに、該低み部上面にコイルバネを受ける凹部と該凹部内に前記コイルバネの一端を挿入する挿入孔及び前記第二装飾部の枢軸ピンを貫通させる貫通孔とを設けて形成、
前記第二装飾部は、前記低み部と接触する背面にコイルバネを配する収納部を設けるとともに該収納部内にコイルバネを挿通して保持する当該背面に対して直立した枢軸ピンと、コイルバネの他端を挿入して保持する孔を有した前記切り欠き部に嵌り込む当該背面に対して直立した閉塞部と、第二装飾部がコイルバネの付勢による回転を阻止する当該背面に対して直立するストッパーと、からなる構成にてコイルバネの付勢によって当該第二装飾部を開閉可能としたことを特徴とする連結具機構を有する指輪。
【考案の詳細な説明】
【技術分野】
【０００１】
本考案は、装身用下げ飾り等を指輪より着脱可能とした機構を有する指輪に関するものである。
【背景技術】
【０００２】
従来、指輪の構成として、輪状の腕部とデザイン部を有してデザイン部に模様を施したもの及び宝石を石留めした指輪がある。また、輪状の腕部のみにてカット模様等を施したもの及び宝石を石留めしたシンプル形状の指輪、シンプル形状の指輪を複数本組み合わせた連リング、さらに、指輪に下げ飾る装飾体（チャーム）を連結したチャーム・リングがあり、上記指輪の構成は多く用いられ公知となっている。（例えば非特許文献１参照。）。
【０００３】
しかしながら、上記のいずれの指輪も一体不可分の構成で形成されていのものが多く、その中で、指輪等の身飾品に装飾体（チャーム）を連結して下げ飾るチャーム付き身飾品の改善策として、「付随的な身飾品としてのチャームを着脱可能に連結させる取り付け部を有する身飾品、主たる身飾品に対して着脱可能に連結される連結部を有する付随的な身飾品としてのチャーム 、さらには、主たる身飾品とそれに連結された付随的な身飾品としてのチャームとを備え、かつ、主たる身飾品とチャームとの少なくとも一方に両者を着脱可能に連結する連結部が形成されているチャーム付身飾品」がある（例えば特許文献１参照。）。
【０００４】
しかし、上記のチャーム付身飾品を指輪として用いた場合、「付随的な身飾品としてのチャームを着脱可能に連結させる取り付け部を有す」とあるが、例えばシンプル形状の指輪の形状自体が環状であるため「着脱可能に連結させる取り付け部を有す」となり、また、指輪本体に環を取り付けても「着脱可能に連結させる取り付け部を有す」となるために当該指輪は市場に流通している指輪となる。
【０００５】
また、「身飾品とチャームとの少なくとも一方に、両者を着脱可能に連結する連結部が形成されている」とあるが、身飾品と下げ飾るチャーム等を連結させるためには、連結部となる部材を介して連結させる構成であり、従来の装身具の構成として特開平０９−２９９１１６号公報の特許文献に記載されている。
【０００６】
また、身飾品とチャームとの連結は、連結部となる部材を介して連結させる構成であるために全体のデザインが途切れた状態となり、装飾性を損なう一つの要因となっている。
【０００７】
【非特許文献１】砂川一郎，「ジュエリーコーディネーター検定３級」，２００２年９月，ｐ.１８２−１９３
【特許文献１】特開２０００−２７９２２０号公報
【考案の開示】
【考案が解決しようとする課題】
【０００８】
前記事項を鑑み解決しようとする問題点は、装飾性を有して美感を何ら損なうことなく、指輪本体に装身用下げ飾り等を着脱可能とする機構を設けた指輪を提供しようとするものである。
【課題を解決するための手段】
【０００９】
上記課題を解決するために本考案は、リング部と、コイルバネの付勢にて開閉可能な第二装飾部を有する第一装飾部とからなり、該第一装飾部は、中抜き部及び一部上面に低み部を有して該低み部に切り欠き部を設けるとともに、該低み部上面にコイルバネを受ける凹部と該凹部内に前記コイルバネの一端を挿入する挿入孔及び前記第二装飾部の枢軸ピンを貫通させる貫通孔とを設けて形成、前記第二装飾部は、前記低み部と接触する背面にコイルバネを配する収納部を設けるとともに該収納部内にコイルバネを挿通して保持する当該背面に対して直立した枢軸ピンと、コイルバネの他端を挿入して保持する孔を有した前記切り欠き部に嵌り込む当該背面に対して直立した閉塞部と、第二装飾部がコイルバネの付勢による回転を阻止する当該背面に対して直立するストッパーと、からなる構成にてなることを要旨とするものである。
【考案の効果】
【００１０】
以上述べたように、コイルバネの付勢にて第二装飾部を回転させて第一装飾部の切り欠き部を開閉する機構を設けたことにより、容易、且つ、確実にその場で下げ飾りを着脱できる。また、下げ飾りを当該指輪より外した場合でも装飾性を有して美感を損なうことなく使用できる指輪を提供することができた。
【考案を実施するための最良の形態】
【００１１】
以下、本考案の目的である装飾性を有して美感を損なうことなく実現した実施形態は図面を用いて詳細に説明する。
【００１２】
図１は、本考案の連結具機構を有する指輪３０の実施例を示す斜視図であり、指輪３０は、リング部１と、中抜き部３及び一部上面に低み部４を有して低み部４に切り欠き部５を設けたハート形の第一装飾部２と、切り欠き部に嵌り込む閉塞部１４と閉時の回転を適宜位置で阻止するストッパー１５とを設けて低み部４の上で回転の動きをさせるハート形の一部分を用いた第二装飾部１０とを有して形成した。
【００１３】
図２は、連結具機構を有する指輪３０を構成する各部品を示し、図２（Ａ）は、指に挿入するリング部１に中抜き部３及び一部上面に低み部４を有して低み部４に切り欠き部５を設けたハート形の第一装飾部２を設け、低み部４上面にコイルバネ１１を受ける凹部６と該凹部６内にコイルバネの一端１１ａを挿入する挿入孔７及び第二装飾部１０の枢軸ピン１３を貫通させる貫通孔８とを設けた。
【００１４】
図２（Ｂ）は、第二装飾部１０を（ａ）正面図、（Ｂ）背面図で示し、（Ｂ）の背面図に符号を記して説明する。
装飾部の形状を一部用いた第二装飾部１０は、低み部４と接触する背面１８にコイルバネ１１を配する収納部１２を設けるとともに収納部１２内にコイルバネ１１を挿通して保持する背面１８に対して直立した枢軸ピン１３と、コイルバネの他端１１ｂを挿入して保持する孔１６を有した切り欠き部５に嵌り込む背面１８に対して直立した閉塞部１４と、コイルバネ１１の付勢による回転を適宜位置で阻止する背面１８に対して直立するストッパー１５とを設けて形成した。
【００１５】
図２（Ｃ）は、第二装飾部１０を低み部４に対して並行向きに回転させる動きを得るためにコイルバネ１１を用いた。
コイルバネ１１の形状は、コイルバネの一端１１ａをコイルバネ１１本体に対して直立した状態に折り曲げるとともにコイルバネの他端１１ｂをコイルバネ１１本体に対して並行に伸びた直線となるようにして形成した。
【００１６】
図３は、前記図２の（Ａ）（Ｂ）（Ｃ）の部品を用いて構成した指輪３０の正面図を示し、組み立て手順は、第二装飾部１０の背面１８の閉塞部１４に設けた孔１６にコイルバネの他端１１ｂを挿入するとともに枢軸ピン１３にコイルバネ１１本体を挿入して収納部１２に配置する。
【００１７】
そして、コイルバネ１１を有した前記第二装飾部１０の背面１８と、第一装飾部２の低み部４の面とが向き合うように、第二装飾部１０に設けた枢軸ピン１３を第一装飾部２に設けた貫通孔８に挿通するとともにコイルバネの一端１１ａを挿入孔７に挿入して配置することにより、第一装飾部２の切り欠き部５は第二装飾部１０にて塞ぎ、そいして、コイルバネ１１の付勢にて第二装飾部１０を低み部４に対して並行向きに回転させる動きを得ることができる。
【００１８】
前記第二装飾部１０を回転可能とした指輪３０はこの状態では第二装飾部１０を上方に持ち上げれば第一装飾部２より外れるため、枢軸ピン１３の先端を膨突して抜け止め１７を設けることにより第二装飾部１０は外れることなく回転できることを図４は、右側面図、図５は、平面図にて示す。
【００１９】
図６は、本考案の指輪３０の第一装飾部２を開口状態とした実施例を示し、コイルバネ１１、枢軸ピン１３、閉塞部１４、ストッパー１５は断面にて図示し、図３に示した状態から第二装飾部１０の側面側より親指の爪部分等で押すことにより枢軸ピン１３を枢軸として第二装飾部１０は低み部４に対して並行向きに回転移動して切り欠き部５は開口状態となる。
【００２０】
そして、中抜き部３に連結環２０を介して下げ飾り２１を配することができる。
本考案の機構としては、そのまま押し続けると切り欠き部５は大きく開口するとともに閉塞部１４が低み部４の内側側壁に当たり回転移動を阻止させることができる。
【００２１】
そして、押している親指を第二装飾部１０の側面側より離すことにより、コイルバネ１１の付勢にて、第二装飾部１０は、後戻りの回転移動にてストッパー１５が低み部４の外側側壁に当たり回転を阻止するとともに切り欠き部５に閉塞部１４が嵌り込んで切り欠き部５を閉塞させて下げ飾り２１を指輪３０と連結状態として下げ飾ることができる。
【図面の簡単な説明】
【００２２】
【図１】本考案の連結具機構を有する指輪の実施例を示す斜視図である。
【図２】図１の連結具機構を有する指輪を構成する各部品を示す概念図である。
【図３】図２に示す部品にて構成した連結具機構を有する指輪の正面図である。
【図４】図３の右側面図である。
【図５】図３の平面図である。
【図６】本考案の連結具機構を有する指輪を開口状態とした図である。
【符号の説明】
【００２３】
１    リング部  
２    第一装飾部
３    中抜き部
４    低み部
５    切り欠き部
６    凹部
７    挿入孔
８    貫通孔
１０    第二装飾部
１１    コイルバネ
１２    収納部    
１３    枢軸ピン
１４    閉塞部
１５    ストッパー
１６    孔
１７    抜け止め
１８    背面
２０    連結環
２１    下げ飾り
３０    指輪
【図１】
0003115682.tif 000003
【図２】
0003115682.tif 000004
【図３】
0003115682.tif 000005
【図４】
0003115682.tif 000006
【図５】
0003115682.tif 000007
【図６】
0003115682.tif 000008